(57)【要約】【課題】ドアとドア枠の間の隙間に虫が寄り付かないようにして、ドアを開いたときにおける建物１８内への虫の侵入を抑制する。【解決手段】ドア構造１０は、建物１８の開口部２２に設けられるドア枠１２と、ドア枠１２に開閉可能に取り付けられるドア１４と、ドア１４を閉じた状態でドア１４とドア枠１２との間に介在し、気密性を高める気密材１６と、ドア１４を閉じた状態におけるドア１４とドア枠１２との間の隙間Ｓに設けられ、虫の忌避剤を含有する忌避部材と、を有する。【選択図】図４
2017078270.tif 000002
【特許請求の範囲】
【請求項１】
建物の開口部に設けられるドア枠と、
前記ドア枠に開閉可能に取り付けられるドアと、
前記ドアを閉じた状態で前記ドアと前記ドア枠との間に介在し、気密性を高める気密材と、
前記ドアを閉じた状態における前記ドアと前記ドア枠との間の隙間に設けられ、虫の忌避剤を含有する忌避部材と、
を有するドア構造。
【請求項２】
前記気密材は、前記忌避部材を兼ねている請求項１に記載のドア構造。
【請求項３】
前記忌避部材は、前記気密材に併設されている請求項１に記載のドア構造。
【請求項４】
建物の開口部に設けられるドア枠と、
前記ドア枠に開閉可能に取り付けられるドアと、
前記ドアを閉じた状態で前記ドアと前記ドア枠との間に介在し、虫の忌避剤を含有し、かつ気密性を高める気密材と、
を有するドア構造。
【発明の詳細な説明】
【技術分野】
【０００１】
本発明は、ドア構造に関する。
【背景技術】
【０００２】
ドアとドア枠との間に気密材を配置して気密性を確保したドア構造が開示されている（特許文献１参照）。
【先行技術文献】
【特許文献】
【０００３】
【特許文献１】特開２００４−１２４７０６号公報
【発明の概要】
【発明が解決しようとする課題】
【０００４】
一般に、ドアを閉じた状態において、ドアとドア枠との間には隙間が存在する。この隙間に、暗くて狭い場所を好む虫が入り込むことがあり、更にはこの隙間が虫だまりになっていることがある。隙間に虫がいたとしても、ドアを閉じた状態においては、気密材により虫の建物内への侵入が物理的に阻止されるが、ドアを開いた瞬間に、この虫が建物内に侵入可能となる。
【０００５】
本発明は、上記事実を考慮して、ドアとドア枠の間の隙間に虫が寄り付かないようにして、ドアを開いたときにおける建物内への虫の侵入を抑制することを目的とする。
【課題を解決するための手段】
【０００６】
請求項１に係るドア構造は、建物の開口部に設けられるドア枠と、前記ドア枠に開閉可能に取り付けられるドアと、前記ドアを閉じた状態で前記ドアと前記ドア枠との間に介在し、気密性を高める気密材と、前記ドアを閉じた状態における前記ドアと前記ドア枠との間の隙間に設けられ、虫の忌避剤を含有する忌避部材と、を有する。
【０００７】
このドア構造では、ドアを閉じた状態において、気密材により、建物外の虫が建物内に侵入することが物理的に抑制される。また、ドアとドア枠との間の隙間に忌避部材が設けられているので、該隙間に虫が寄り付くことが抑制される。該隙間が虫だまりとならないので、ドアを開いた瞬間に建物内へ虫が侵入し難くなる。
【０００８】
請求項２の発明は、請求項１に記載のドア構造において、前記気密材が、前記忌避部材を兼ねている。
【０００９】
このドア構造では、気密材が忌避部材を兼ねているので、部材の追加や、そのための設計変更等が不要となる。
【００１０】
請求項３の発明は、請求項１に記載のドア構造において、前記忌避部材が、前記気密材に併設されている。
【００１１】
このドア構造では、忌避部材が気密材に併設されているので、気密材により気密性を高めつつ、忌避部材によりドアとドア枠との間の隙間に虫が寄り付くことを抑制できる。既設のドアに忌避部材を追加することで、防虫性能を容易に付与することも可能である。
【００１２】
請求項４に係るドア構造は、建物の開口部に設けられるドア枠と、前記ドア枠に開閉可能に取り付けられるドアと、前記ドアを閉じた状態で前記ドアと前記ドア枠との間に介在し、虫の忌避剤を含有し、かつ気密性を高める気密材と、を有している。
【００１３】
このドア構造では、ドアを閉じた状態において、気密材により、建物外の虫が建物内に侵入することが物理的に抑制される。また、気密材が忌避部材を含有しているので、ドアとドア枠との間の隙間に虫が寄り付くことが抑制される。該隙間が虫だまりとならないので、ドアを開いた瞬間に建物内へ虫が侵入し難くなる。
【発明の効果】
【００１４】
本発明に係るドア構造によれば、ドアとドア枠の間の隙間に虫が寄り付かないようにして、ドアを開いたときにおける建物内への虫の侵入を抑制することができる、という優れた効果が得られる。
【図面の簡単な説明】
【００１５】
【図１】第１実施形態に係るドア構造を示す正面図である。
【図２】第１実施形態に係るドア構造を示す、図１における２−２矢視拡大断面図である。
【図３】第１実施形態に係るドア構造を示す、図１における３−３矢視拡大断面図である。
【図４】第１実施形態に係るドア構造を示す要部拡大斜視図である。
【図５】第２実施形態に係るドア構造を示す要部拡大斜視図である。
【発明を実施するための形態】
【００１６】
以下、本発明を実施するための形態を図面に基づき説明する。
【００１７】
［第１実施形態］
図１から図４において、本実施形態に係るドア構造１０は、ドア枠１２と、ドア１４と、忌避部材の一例たる気密材１６とを有している。
【００１８】
ドア枠１２は、建物１８の開口部２２に設けられる部材であり、正面視で四角形に構成されている。図２、図３に示されるように、ドア枠１２は、室内側見込面１２Ａと、室外側見込面１２Ｂと、戸当たり面１２Ｃとを有している。室内側見込面１２Ａと室外側見込面１２Ｂとは、段差状となっており、室内側見込面１２Ａが室外側見込面１２Ｂよりもドア枠１２の中心側に位置している。戸当たり面１２Ｃは、この段差を繋ぐ縦壁部を構成している。
【００１９】
ドア１４は、ドア枠１２に開閉可能に取り付けられる開閉体であり、ドア枠１２に例えばヒンジ２４を介して開閉自在に取り付けられている。ドア１４を閉じた状態において、該ドア１４の外周端１４Ａは、ドア枠１２における室内側見込面１２Ａよりも外側で、かつ室外側見込面１２Ｂよりも内側に位置している。これにより、ドア１４の開閉時におけるドア１４と室外側見込面１２Ｂとの干渉が抑制されるようになっている。また、ドア１４を閉じた状態において、ドア１４の外周端１４Ａと室外側見込面１２Ｂとの間に、隙間Ｓが形成されるようになっている。
【００２０】
気密材１６は、ドア１４を閉じた状態でドア１４とドア枠１２との間に介在し、気密性を高める部材である。気密材１６は、忌避部材を兼ねている。忌避部材は、ドア１４を閉じた状態におけるドア１４とドア枠１２との間の隙間Ｓに設けられ、虫の忌避剤を含有する部材である。本実施形態では、忌避部材を兼ねる気密材１６が、ドア１４とドア枠１２との間の隙間Ｓに露出している。
【００２１】
図４に示されるように、気密材１６は、例えば断面Ｄ字形に構成され、戸当たり面１２Ｃに、例えば接着により取り付けられている。また、気密材１６は、ドア枠１２の全周にわたって取り付けられている。ドア１４は、矢印Ｏ方向に開き、矢印Ｃ方向に閉じるようになっており、閉じた状態で気密材１６に密着するようになっている。
【００２２】
忌避剤としては、従来から汎用される飛翔性害虫、ゴキブリ、及び衣料害虫等の害虫に対して有効なピレスロイド系化合物等の防虫剤が好適である。
【００２３】
この気密材１６は、忌避剤を含有させるのに適した弾性体である、例えばエラストマーで形成されている。エラストマーとしては、ブタジエン／スチレン共重合体、イソプレン／スチレン共重合体、ポリ塩化ビニル、ブタジエンゴム、イソプレンゴム、エチレン／プロピレン共重合体、ポリウレタン等から選ばれる熱可塑性エラストマー、それらの水素添加物、その他変性物を使用することができる。
【００２４】
エラストマー１００質量部に対する忌避剤の含有量は、１質量部〜２０質量部の範囲であることが好ましい。
【００２５】
忌避剤の含有量が上記範囲であることで、害虫の忌避効果が十分に得られ、かつ、エラストマーの結合性に忌避剤が影響を与える懸念がなく、気密材の耐久性が良好となるため、好ましい。
【００２６】
（作用）
本実施形態は、上記のように構成されており、以下その作用について説明する。図２から図４に示されるように、本実施形態に係るドア構造１０では、ドア１４を閉じた状態において、気密材１６により、建物１８外の虫（図示せず）が建物１８内（室内側）に侵入することが物理的に抑制される。また、ドア１４とドア枠１２との間の隙間Ｓに、忌避部材を兼ねる気密材１６が露出しているので、該隙間Ｓに虫が寄り付くことが抑制される。該隙間Ｓが虫だまりとならないので、ドア１４を開いた瞬間に建物１８内へ虫が侵入し難くなる。
【００２７】
このように、本実施形態によれば、ドア１４とドア枠１２の間の隙間Ｓに虫が寄り付かないようにして、ドア１４を開いたときにおける建物１８内への虫の侵入を抑制することができる。また、気密材１６が忌避部材を兼ねているので、部材の追加や、そのための設計変更等が不要となる。
【００２８】
なお、気密材１６の交換時期を示すインジケータを設けてもよい。忌避剤の効果が少なくなった場合には、気密材１６を交換することで、再び防虫性能を回復させることができる。
【００２９】
［第２実施形態］
図５において、本実施形態に係るドア構造２０では、忌避部材２８が、気密材２６に併設されている。この忌避部材２８は、上記忌避剤を含有する例えば板状のゴムであり、ドア枠１２の室内側見込面１２Ｂに、例えば接着により取り付けられている。忌避部材２８とドア１４との干渉を抑制するために、ドア枠１２の下辺において、室外側見込面１２Ｂは、第１実施形態における室外側見込面１２Ｂよりも低く設定されている。換言すれば、室外側見込面１２Ｂの位置は、第１実施形態における室外側見込面１２Ｂよりも、ドア枠１２の中心から見て外側に設定されている。
【００３０】
忌避部材２８が気密材２６に併設されており、気密材２６に忌避剤を含有させる必要がないので、気密材２６として、従来から一般に使用される材質、例えばＥＰＤＭ、シリコンゴム、クロロプレンゴム等を使用することができる。
【００３１】
本実施形態に係るドア構造２０では、忌避部材２８が気密材２６に併設されているので、気密材２６により気密性を高めつつ、忌避部材２８によりドア１４とドア枠１２との間の隙間Ｓに虫（図示せず）が寄り付くことを抑制できる。隙間Ｓが虫だまりとならないので、ドア１４を開いた瞬間に建物１８内へ虫が侵入し難くなる。気密材２６は従来品と同様であるので、該気密材２６を有する既設のドア構造に忌避部材２８を追加することで、防虫性能を容易に付与することも可能である。
【００３２】
忌避部材２８の交換時期を示すインジケータを設けてもよい。忌避剤の効果が少なくなった場合には、忌避部材２８を交換することで、再び防虫性能を回復させることができる。
【００３３】
他の部分については、第１実施形態と同様であるので、同一の部分には図面に同一の符号を付し、説明を省略する。
【００３４】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００３５】
第１実施形態において、気密材１６の形状が断面Ｄ字形であるものとしたが、気密材１６の断面形状はこれに限られず、適宜変更することが可能である。気密材１６の取付け位置は、ドア枠１２に限られず、ドア１４側であってもよい。気密材１６の取付けは、接着に限られず、嵌込みや差込みであってもよい。第２実施形態における気密材２６についても同様である。
【００３６】
また、第２実施形態において、忌避部材２８の取付け位置が、ドア枠１２の室外側見込面１２Ｂであるものとしたが、これはドア１４側であってもよい。特に、ドア１４の上辺（上側の外周端１４Ａ）では、忌避部材２８をドア枠１２側に取り付けるよりも、ドア１４側に取り付けた方が、忌避部材２８の剥落を抑制できる。
【符号の説明】
【００３７】
１０    ドア構造
１２    ドア枠
１４    ドア
１６    気密材
１８    建物
２０    ドア構造
２２    開口部
２６    気密材
２８    忌避部材
Ｓ      隙間
【図１】
2017078270.tif 000003
【図２】
2017078270.tif 000004
【図３】
2017078270.tif 000005
【図４】
2017078270.tif 000006
【図５】
2017078270.tif 000007